(57)【要約】【課題】本発明は、コンクリート製あるいはガラス繊維強化樹脂製では周囲の景観と必ずしも調和しない場合、簡便で必要面積の少ない方法で緑化する手段の提供にある。【解決手段】地上もしくは築山内に設けられた貯留浸透施設の側面に１ないし複数の下記記載の単位溝を長さ方向に連結して得られる植物育成用の育成部１を互に並行に設け、貯留浸透施設上部に下記記載の単位盤を接続して得られる植物育成部２を設けたことを特徴とする緑化貯水浸透槽。１．単位溝は、貯留浸透施設に接続する接続部と、植物の育成用の土壌を保持するすくなくとも１方向の側板と底板からなり長手方向に連結可能とする連結部を有する。２．単位盤は、平盤部に１ないし複数の土壌の移動を防止するための突状部を有し互に平面方向に連結するための連結部を有する。【選択図】図1
2005229922.tif 000002
【特許請求の範囲】
【請求項１】
地上に設けた貯留浸透施設の側面に１ないし複数の下記記載の単位プランターを長さ方向に連結して得られる植物育成用の育成部１を互に並行に設け、貯留浸透施設上部に下記記載の単位平盤を接続して得られる植物育成部２を設けたことを特徴とする緑化貯留浸透槽。
１．単位プランターは、貯留浸透施設に接続する接続部と、植物の育成用の土壌を保持するすくなくとも１方向の側板と底板からなり長手方向に連結可能とする連結部を有する。
２．単位平盤は、平盤に１ないし複数の土壌の移動を防止するための突状部を有し互に平面方向に連結するための連結部を有する。
【請求項２】
請求項１記載の緑化貯留浸透施設において貯留浸透施設の内部を複数に区分する表面に透孔を有し配列可能な単位貯留材を充填したことを特徴とする緑化貯留浸透槽。
【発明の詳細な説明】
【技術分野】
【０００１】
本発明は、地上に設置する貯留浸透施設の表面を緑化した環境に配慮した貯留浸透施設の技術に属する。
【背景技術】
【０００２】
屋上から集めた雨水を利用するため、あるいは流出抑制の一環としてあるいは防災のため地上に貯留浸透施設として貯留槽あるいは浸透槽を設置する場合がある。一般的には地下に設置するが、掘削ができない場合あるいは地上に余裕がある場合などである。地上に設置する貯留浸透施設は一般的にコンクリート製あるいはガラス繊維で強化した樹脂製等がある。これら貯留浸透施設を土で覆い築山とすることができる場合は周囲の景観と調和させることは難しくないが、貯留浸透施設の設置場所の状況においては不可能となる場合もある。
屋上緑化あるいは壁面緑化のための立体植生用のプランター類が特開平１１−０３７１１４、特願２００３−２０３５１０等に提案されているが貯留浸透施設に適用された例はない。
また液体類を貯蔵するタンク内に液体の流動を妨げない程度の透孔を設けた仕切りを入れ、大きな浸透による揺れを吸収する方法が特開２００２−２０５７９５に提案されている。その透孔を設けた仕切りの例として各種の形状のプラスチック部材を充填する方法が提案されている。特開平０９−１１２７９２、特開平Ｈ１０−２５２１０８、特開平Ｈ０９−２９６４８６、特開平Ｈ１０−１１５７７８等にかかるプラスチック部材が開示されている。
【０００３】
【特許文献１】特願２００３−２０３５１０
【特許文献２】特開平１１−０３７１１４
【特許文献３】特開２００２−２０５７９５
【特許文献４】特開平０９−１１２７９２
【特許文献５】特開平Ｈ１０−２５２１０８
【特許文献６】特開平Ｈ０９−２９６４８６
【特許文献７】特開平Ｈ１０−１１５７７８
【発明の開示】
【発明が解決しようとする課題】
【０００４】
本発明は、貯留浸透施設であってコンクリート製あるいはガラス繊維強化樹脂製では周囲の景観と必ずしも調和しない場合、簡便で必要面積の少ない方法で緑化する手段の提供にある。
【課題を解決するための手段】
【０００５】
本第1の発明は、地上に設けられた貯留浸透施設の側面に１ないし複数の下記記載の単位プランターを長さ方向に連結して得られる植物育成用の育成部１を互に並行に設け、貯留浸透施設上部に下記記載の単位平盤を接続して得られる植物育成部２を設けたことを特徴とする緑化貯留浸透施設である。
１．単位プランターは、貯留浸透施設に接続する接続部と、植物の育成用の土壌を保持するすくなくとも１方向の側板と底板からなり長手方向に連結可能とする連結部を有する。
２．単位平盤は、平盤部に１ないし複数の土壌の移動を防止するための突状部を有し互に平面方向に連結するための連結部を有する。
また、第2の発明は、上記発明において緑化貯留浸透施設の内部を複数に区分する表面に透孔を有し配列可能な貯留材を充填したことを特徴とする緑化貯留浸透槽である。
【発明の効果】
【０００６】
本発明は、地上置きの貯留浸透施設の側面に単位プランターを巡らし植物育成部１とし、その上面に単位平盤を敷き設することで植物育成部２とすることで植物が育成可能な最小必要限度の土壌を確保することで、貯留浸透施設の表面を緑化することができる。
貯留浸透施設の内部を表面に透孔のある貯留材を充填することで地震などの振動を吸収することができる。
【発明を実施するための最良の形態】
【０００７】
以下本発明を図により詳細に説明する。
図１は、本発明である緑化貯留浸透施設の概念図である。
図１に示すように本緑化貯留浸透施設は、（１）中心に貯留槽、浸透槽もしくは貯留・浸透を兼ねた貯留浸透槽を設置する。（２）その側面に単位プランターを巡らせ植物育成部１とする。（３）上面には土壌が流れないよう突状部を設けた単位平盤を敷き詰め植物育成部２としている。
上記構成により貯留浸透槽の上面および側面が最小限の土壌で緑化可能となる。
【０００８】
上記貯留槽、浸透槽および貯留浸透槽はコンクリート製もしくはガラス繊維強化樹脂製のものがその上面、側面に植物育成用の土壌をおき、その重量に耐えるため好ましい。
側面に巡らす植物育成部１を構成する単位プランターは図３〜図４に示すような本願出願者が特許出願番号２００３−２０３５１０で提案したものが使用可能である。これらを上記施設の壁面にボルトつけ、壁面に沿って設けた支柱に固定する、あるいは独立した支柱に固定したものを懸荷することでもよい。また角部については図３ｂに示すような角部用の単位プランターを適宜使用することができる。
【０００９】
貯留浸透施設の上面には図５に示す特開平１１−０３７１１４で提案された単位平盤が使用可能であり、両端が開放されているため土壌が連続し植物の根が長く伸びることができるため植物の育成にはよい環境を与える。図に示すものは両端が開放して積み重ねが可能とされているが、両端が閉じたものであっても本目的に使用できる。
【００１０】
図２は本第２の発明の内部に貯留材を充填した緑化貯留浸透施設の内部を示す概念図である。図に示すように貯留浸透施設はその内部空間を透孔のある板材等で仕切ることで、地震動などに対し振動を吸収することができる。上記板材としてプラスチックあるいは金属製の貯留材を配列して貯留空間を確保しその周囲を適宜目的に合ったシート類で覆う雨水貯留浸透槽用に用いられる特開平０９−１１２７９２、Ｈ１０−２５２１０８、Ｈ０９−２９６４８６、Ｈ１０−１１５７７８などに開示されているような貯留材が使用可能である。図６にその一例を示す。
【図面の簡単な説明】
【００１１】
【図１】本発明である緑化貯留浸透施設の概念図である。
【図２】本第２の発明である緑化貯留浸透施設の内部断面を示す概念図である。
【図３】本発明に使用するプランター部材の例を示す概念図である。
【図４】本発明に使用するプランター部材の他の例を示す概念図である。
【図５】本発明に平盤部材の例を示す概念図である。
【図６】本第２の発明である緑化貯留浸透施設の内部に充填する貯留材の例を示す。
【符号の説明】
【００１２】
１  緑化貯留浸透施設
２  植物育成部１
３  植物育成部２
４  単位プランター
５  単位平盤
６  単位貯留材
【図１】
2005229922.tif 000003
【図２】
2005229922.tif 000004
【図３】
2005229922.tif 000005
【図４】
2005229922.tif 000006
【図５】
2005229922.tif 000007
【図６】
2005229922.tif 000008